(57)【要約】【課題】従来より小型で安価な手段により、ガスタービンの吸気を冷却するガスタービン用吸気冷却装置を提供する。【解決手段】ガスタービン用吸気冷却装置２００は、ガスタービン１００の吸気経路上に配置され、吸気方向に所定の厚さを有する充填材４００を含む。充填材４００に水を流し、充填材４００の下部から流れ出る水は、水回収容器２２０Ａ、２２０Ｂ、３１０で回収する。水回収容器３１０に回収された水は、ストレーナキャップ２７０を介してポンプ２８０によって充填材４００の上方まで汲み上げる。汲み上げられた水は、水供給容器２１０Ａ、２１０Ｂが備える複数の排出口４２０を通って、充填材４００の上方から内部に一様に流される。このように水を循環させ、ガスタービン１００の吸気によって水を蒸発させることにより、気化熱の作用で、吸気冷却を行う。【選択図】図４
2008232138.tif 000002
【特許請求の範囲】
【請求項１】
ガスタービンの吸気経路上に配置され、吸気方向に所定の厚さを有する充填材と、
前記充填材の上方から内部に水を継続的に流す水供給手段とを含むことを特徴とするガスタービン用吸気冷却装置。
【請求項２】
前記充填材は、塊状の縮れた細線材料であることを特徴とする請求項１に記載のガスタービン用吸気冷却装置。
【請求項３】
前記充填材は、枠のみで構成された立体的な形状を有する複数の要素をカゴ状の容器に充填して形成されていることを特徴とする請求項１に記載のガスタービン用吸気冷却装置。
【請求項４】
前記充填材は、吸気方向に平行に立設配置された複数の波板の集合体であることを特徴とする請求項１に記載のガスタービン用吸気冷却装置。
【請求項５】
前記充填材は、吸気方向に平行に立設配置された複数の波板および平板の集合体であることを特徴とする請求項１に記載のガスタービン用吸気冷却装置。
【請求項６】
前記充填材のうち、前記吸気経路の上流側の面は、上部が下部より突出した傾斜面であることを特徴とする請求項１から４までのいずれかに記載のガスタービン用吸気冷却装置。
【請求項７】
前記充填材の空隙率は８０％以上であることを特徴とする請求項１から６までのいずれかに記載のガスタービン用吸気冷却装置。
【請求項８】
前記水供給手段は、
前記充填材の下部から流れ出る水を回収する水回収容器と、
前記水回収容器から水を前記充填材の上方まで汲み上げるポンプと、
前記汲み上げられた水を貯え、前記充填材の上方から内部に一様に流す複数の排出口を備えた水供給容器とを含み、
これによって水を循環させることを特徴とする請求項１から７までのいずれかに記載のガスタービン用吸気冷却装置。
【請求項９】
前記ポンプは単位時間当たり一定の量の水を前記水回収容器から汲み上げ、
前記水供給手段はさらに、
前記水回収容器の液面が所定の高さ以下になると前記水回収容器に水を補給する液面制御手段を含むことを特徴とする請求項８に記載のガスタービン用吸気冷却装置。
【請求項１０】
前記液面制御手段はフロート弁を有することを特徴とする請求項９に記載のガスタービン用吸気冷却装置。
【請求項１１】
前記複数の波板の条溝の方向は、前記吸気方向に対して、互い違いに異なる２つの方向に傾斜していて、
前記傾斜の角度は、２０°〜４０°の範囲であることを特徴とする請求項４に記載のガスタービン用吸気冷却装置。
【請求項１２】
前記充填材は、ポリエチレンテレフタレートと、ポリエチレンと、ガラス繊維とで構成されていることを特徴とする請求項４または５に記載のガスタービン用吸気冷却装置。
【請求項１３】
前記複数の波板の上にはさらに、該波板と同一材質の平板が載置されていて、
前記水供給手段は、前記平板に水を滴下することを特徴とする請求項１２に記載のガスタービン用吸気冷却装置。
【請求項１４】
前記波板の起伏の幅は３ｍｍ〜５ｍｍであることを特徴とする請求項１１から１３までのいずれかに記載のガスタービン用吸気冷却装置。
【請求項１５】
前記充填材を用いた加湿の飽和効率は８０％以上であることを特徴とする請求項１１から１４までのいずれかに記載のガスタービン用吸気冷却装置。
【請求項１６】
前記水供給手段はさらに、
吸気の温度を検出する温度センサと、
吸気の湿度を検出する湿度センサと、
前記検出された温度および湿度に応じた水供給量を予め定めたテーブルを記録する記録手段と、
単位時間当たり、前記テーブルで定められた水供給量の水を前記ポンプが前記水回収容器から汲み上げるよう、該ポンプを制御するポンプ制御手段とを含むことを特徴とする請求項８に記載のガスタービン用吸気冷却装置。
【発明の詳細な説明】
【技術分野】
【０００１】
本発明は、ガスタービンの吸気を冷却するガスタービン用吸気冷却装置に関するものである。
【背景技術】
【０００２】
昨今、高効率火力発電所では、ガスタービンと排熱回収蒸気タービンとを組み合わせたコンバインドサイクルプラントが使用されている。しかし夏期に大気温度が上昇すると、ガスタービンの吸気と排気との温度差が小さくなるため、ガスタービンの出力が低下するという問題が知られている。したがって、とりわけ夏季には、定格出力を確保するため、ガスタービン以外の低効率のプラントの焚き増しをせざるを得ず、運用コストの増大（数億円単位）を招いている。
【０００３】
上記の問題を解決するため、ガスタービンの吸気温度を下げて吸気・排気の温度差を増大させ、少しでも定格出力に近づけるための様々な対策がとられている。代表的な対策として、特許文献１に記載のように吸気に液滴を噴射するもの、特許文献２に記載のように排熱駆動の冷凍機により吸気を冷却するもの、特許文献３に記載のように液体空気を供給して吸気を冷却するものなどがある。
【０００４】
また、水を吸気中に噴霧する場合、液滴の粒径が大きすぎるとタービン圧縮機の羽根に衝突し損傷を与えるため、特許文献４に記載のように水を噴霧するノズルの形状を工夫し、液滴を微細化し、さらにエリミネータを設けることで上記の損傷の問題を回避した改良技術がある。さらに、吸気室内の結露と下流への持越しとを防ぐため、繊維状のシート上で形成された水膜を蒸発させることによって冷却を達成している技術が特許文献５に記載されている。なお、特許文献５の技術をエアワッシャで実現したものが特許文献６に記載されている。
【特許文献１】特許第２８７７０９８号公報
【特許文献２】特開２００３−１６１１６５号公報
【特許文献３】特開２００２−２６６６５７号公報
【特許文献４】特開２００２−３２２９１６号公報
【特許文献５】特開２０００−２２０４７３号公報
【特許文献６】特開２００６−１３８２６３号公報
【発明の開示】
【発明が解決しようとする課題】
【０００５】
しかし、上述の特許文献１〜特許文献６に記載のいずれの技術も、ガスタービン吸気部とは別個の大規模な容器あるいはダクトを必要とするため、それらの技術が目指している、出力の増大によって得られる利益に比較して、設備投資による損失が大きくなってしまう。
【０００６】
本発明はこのような課題に鑑み、ガスタービンに大規模な設備を追加することなく、従来より小型で安価な手段により、ガスタービンの吸気を冷却するガスタービン用吸気冷却装置を提供することを目的とする。
【課題を解決するための手段】
【０００７】
本発明によるガスタービン用吸気冷却装置は、上述の課題を解決するために、ガスタービンの吸気経路上に配置され、吸気方向に所定の厚さを有する充填材と、充填材の上方から内部に水を継続的に流す水供給手段とを含むことを特徴とする。
【０００８】
本発明によれば、ガスタービンの吸気によって、充填材の表面を流れる水が蒸発するため、気化熱（蒸発熱）の作用により、吸気が冷却される。しかも、ダクトや容器などの建設費のかさむ構成部品を使用せずに、低廉に吸気冷却が実現可能である。
【０００９】
上記の充填材は、塊状の縮れた細線材料としてよい。かかる形状の充填材を用いれば、吸気の圧力損失を減少させることができる。また、このような充填材は軽量で扱いやすく、加工も簡便に行うことができる。
【００１０】
上述の充填材は、枠のみで構成された立体的な形状を有する複数の要素をカゴ状の容器に充填して形成してもよい。「枠のみ」とは、言い換えれば、かかる要素には面がなく、骨格だけであり、いずれの方向から気流が到来しても、圧力損失が少ないまま、気流を通過させることができることを意味する。かかる充填材は、個々の要素が小さくて運搬等に便利であり、カゴ状の容器の形状さえ決定されていれば、加工することなく容器に充填するだけで充填材を構成できる利便性がある。
【００１１】
上述の充填材は、吸気方向に平行に立設配置された複数の波板の集合体としてもよい。典型的には、冷却塔に一般的に用いられている充填材を利用してもよい。かかる形状の充填材を用いた場合も、吸気の圧力損失を減少させることができ、また、このような充填材は軽量で扱いやすく、加工も簡便に行うことができる。
【００１２】
上述の充填材は、吸気方向に平行に立設配置された複数の波板および平板の集合体としてもよい。
【００１３】
上述の充填材のうち、吸気経路の上流側の面は、上部が下部より突出した傾斜面にするとよい。仮に上流側の面を空気流線に垂直な面とすると、吸気のために、上流側の面の近傍下部には水は流れず、充填材のかかる部分は存在したところで水の蒸発に寄与しない。したがって、上述のように、蒸発に寄与しない部分を当初から削除した形状とすることにより、充填材を節約してコストを低減することが可能である。
【００１４】
また、充填材をかかる形状にすることで、充填材の下部を流れる空気について、圧力損失を低減することができる利点も得られる。
【００１５】
上述の充填材の空隙率（空間率）は８０％以上とするとよい。吸気の圧力損失を十分に低減するためである。
【００１６】
上述の水供給手段は、充填材の下部から流れ出る水を回収する水回収容器と、水回収容器から水を充填材の上方まで汲み上げるポンプと、汲み上げられた水を貯え、充填材の上方から内部に一様に流す複数の排出口を備えた水供給容器とを含み、これによってガスタービン用吸気冷却装置は、水を循環させるとよい。水を節約するためである。
【００１７】
また、上述のポンプは単位時間当たり一定の量の水を水回収容器から汲み上げ、水供給手段はさらに、水回収容器の液面が所定の高さ以下となると水回収容器に水を補給する液面制御手段を含むとよい。これにより、蒸発した水が補給される。また、上述の液面制御手段はフロート弁を有する構成としてよい。
【００１８】
上述の複数の波板の条溝の方向は、吸気方向に対して、互い違いに異なる２つの方向に傾斜していて、傾斜の角度は、２０°〜４０°の範囲であるとよい。
【００１９】
このように波板を配置するのは、隣接する波板の最も隆起する部位同士を点接触させ、波板間の空隙を確保しつつ、互い違いに傾斜した条溝によって空気の乱流を促進し、吸気冷却性能を向上させるためである。吸気冷却性能がとりわけ向上するのは傾斜角度を２０°以上としたときである。一方、傾斜角度を４０°以下とするのは、これより傾斜角度を大きくすると吸気が遮断される傾向が強まって圧力損失が増大するからである。
【００２０】
上述の波板状の充填材は、ポリエチレンテレフタレートと、ポリエチレンと、ガラス繊維とで構成されているとよい。
【００２１】
ゼロ・エミッションに貢献する観点から材料を有機物であるポリエチレンテレフタレート、ポリエチレンに限ることが望ましいが、それらだけでは耐久性が得られない。そこで無機物であるガラス繊維によって強度を向上させている。
【００２２】
上述の複数の波板の上にはさらに、波板と同一材質の平板が載置されていて、水供給手段は、この平板に水を滴下するとよい。上記の材質の平板状の充填材に滴下された水は、充填材の高い吸水性によって、充填材を一様に湿潤化し、その下に立設配置されている複数の波板状の充填材に一様に供給可能となるからである。
【００２３】
上述の波板の起伏の幅は３ｍｍ〜５ｍｍであるとよい。３ｍｍより小さいと圧力損失が大きくなりすぎ、５ｍｍを超えると蒸発が促進されず、同じ飽和効率を得るためには充填材の吸気方向の厚さが大きくなりすぎるからである。
【００２４】
上述の充填材を用いた加湿の飽和効率は８０％以上であるとよい。飽和効率の値が大きいほど加湿性能が高く、冷却効果が高まるからである。また、水の供給量も少なくてすむため、水を循環させるためのポンプも小型化できる利点がある。
【００２５】
上述の水供給手段はさらに、吸気の温度を検出する温度センサと、吸気の湿度を検出する湿度センサと、検出された温度および湿度に応じた水供給量を予め定めたテーブルを記録する記録手段と、単位時間当たり、テーブルで定められた水供給量の水をポンプが水回収容器から汲み上げるよう、ポンプを制御するポンプ制御手段とを含むとよい。
【００２６】
上記の構成によれば、温度や湿度の変化に対応して、常に適切な量の水を供給することが可能となるからである。
【発明の効果】
【００２７】
本発明によれば、ガスタービンに大規模な設備を追加することなく、従来より小型の手段により、ガスタービンの吸気を冷却可能である。また、本発明で用いられる充填材は、土木分野で用いられる排水用部材や、冷却塔や化学蒸留塔などの充填材としても用いられているため、入手が容易であり、安価である。
【００２８】
また、本発明の方式では、充填材の上で水が蒸発するため、水中の不純物が充填材に取り残され、空気流中に持ち越されない。このため、圧縮機羽根の汚れによる効率低下や、エロージョンといった問題を回避できる。このほか、不純物が充填材上に堆積しても蒸発性能が低下しないため通常の冷却塔のような厳重な水質管理が不要で節水が可能である。
【発明を実施するための最良の形態】
【００２９】
次に添付図面を参照して本発明によるガスタービン用吸気冷却装置の実施形態を詳細に説明する。図中、本発明に直接関係のない要素は図示を省略する。また、同様の要素は同一の参照符号によって表示する。
【００３０】
図１および図２は、本発明の実施形態が適用されるガスタービンの一例を示し、図１（ａ）は正面図、図１（ｂ）は右側面図、図２は図１（ａ）のＡ−Ａ断面図である。ガスタービン１００は屋外と屋内とを仕切るウェザールーバ１３０を通じて、図２に示す矢印１６０Ａ、１６０Ｂ、１６０Ｃの３方向に吸気が流れる。吸気はウェザールーバ１３０を通過し、プレフィルタ１２０、高効率フィルタ１１０をさらに通過して図１（ａ）に示す矢印１６０Ｄの方向に流れ、圧縮機、燃焼室およびタービンブレードが設けられているタービン本体１７０に供給される。
【００３１】
なお吸気が通過するプレフィルタ１２０および高効率フィルタ１１０は、図２に示すシャッタ１４０Ａ、１４０Ｂから乗り入れるトラック１５０によって搬入される交換フィルタと定期的に交換される。
【００３２】
後述の、本発明の実施形態であるガスタービン用吸気冷却装置２００は、ガスタービン１００の吸気経路上に配置され、典型的には、プレフィルタ１２０の上流側または下流側に隣接して設置される。または、ウェザールーバ１３０の外側（上流側）に設置することも可能である。
【００３３】
図３および図４は本発明の実施形態であるガスタービン用吸気冷却装置の原理を示し、図３は吸気の上流側から見た部分断面図であり、図４は図３を側方から見た部分断面図である。ガスタービン用吸気冷却装置２００は、充填材４００を含み、これは、吸気を可能にしつつ、空気に与える圧力損失を可能な限り低減してガスタービンの出力を過度に低下させないものが望まれる。理想的には、空隙率（空間率）が８０％以上のものを利用するとよい。
【００３４】
かかる充填材として、塊状の縮れた細線材料を用いるとよく、図５は、このような充填材の例を示す図である。図５の充填材は、新光ナイロン株式会社製のヘチマロン（登録商標）であり、縮れた細線状のポリプロピレンを植物のヘチマの乾燥繊維状、あるいは加熱前の即席乾麺状に成型した製品である。
【００３５】
このような充填材を用いて、吸気の圧力損失の低減が図られている。また、かかる充填材は軽量で扱いやすく、鋸にて簡単に切断できるなど、加工性にも優れている。
【００３６】
充填材４００は、枠のみで構成された立体的な形状を有する複数の要素をカゴ状の容器（図示は省略する）に充填して形成してもよい。図６は、上述のような充填材要素の例を示す図である。図６に示す充填材要素は、月島環境エンジニアリング株式会社から「テラレット」の商品名で市販されているラシヒリングである。ラシヒリングは、ポリフッ化ビニリデン等の合成樹脂で成型した、内径１．３ｃｍ、外径５．８ｃｍ程度の大きさの略ドーナツ型の充填要素である。
【００３７】
かかる充填要素は小さいため、少量ずつ運搬するとき等に便利であり、カゴ状の容器の形状さえ決定されていれば、加工することなく容器に充填するだけで充填材を構成できる利便性がある。
【００３８】
その他、充填材４００として、吸気方向に平行に立設配置された複数の波板の集合体を用いてもよい。図７は、上述のような充填材の例を示す図である。典型的には、冷却塔に一般的に用いられている充填材を利用してよい。図７に示すように、吸気は、立設配置された複数の波板３２０の間を気流が通過するように、矢印３３０で示す方向に行われる。矢印３４０で示すように、波板３２０に対向する方向から吸気を行うと、圧力損失が大きく、気流が良好に通過できないからである。
【００３９】
図３および図４に示すように、本実施形態では、充填材４００は、上下方向に連続して配列されている。これは、ガスタービン用吸気冷却装置２００を、それが設置されるプレフィルタ１２０の面積や設置場所に応じて自在に組み立て、所望の大きさの吸気冷却装置２００を構成するためである。なお図３および図４では、簡単のために充填材４００は上下２個しか示していないが、上下左右に連続して配列してもよい。
【００４０】
ガスタービン用吸気冷却装置２００は、充填材４００の上方から内部に水を継続的に流す水供給手段を含む。水供給手段は、充填材４００の下部から流れ出る水を回収する水回収容器２２０Ａ、２２０Ｂ、３１０と、水回収容器３１０からストレーナキャップ２７０を介して、水を充填材４００の上方まで水供給管２９０を通して汲み上げるポンプ２８０と、汲み上げられた水を水供給口３００Ａ、３００Ｂから受け取って貯え、充填材４００の上方から内部に一様に流す、千鳥状に配列した複数の排出口４２０を備えた水供給容器２１０Ａ、２１０Ｂとを含み、これによってガスタービン用吸気冷却装置２００は、水を循環させ、水を節約している。
【００４１】
なお排出口４２０の大きさおよび配列方法は任意に定めてよいが、充填材４００の内部に一様に水を流すために、なるべく径の小さい穴を多数設けるとよい。
【００４２】
上述の循環において、上下に配列された充填材４００間では、水回収容器２２０Ａ、２２０Ｂのそれぞれの送り漏斗２３０Ａ、２３０Ｂから流れ出る水が、それらの下の水供給容器２１０Ｂ、水回収容器３１０に流れている。
【００４３】
図３および図４では、各充填材４００を、独立して交換可能なユニットとして扱うため、各充填材４００の上下にはそれぞれ水供給容器２１０Ａ、２１０Ｂと水回収容器２２０Ａ、２２０Ｂとが設置されているが、例えば水回収容器２２０Ａを省略し、上下に配列された充填材４００間には、水供給容器２１０Ｂを１つだけ設けることとしてもよい。
【００４４】
ポンプ２８０は単位時間当たり一定の量の水を水回収容器３１０から汲み上げる。一方、吸気冷却装置２００にはさらに、水回収容器３１０の液面が所定の高さ以下となると水回収容器３１０に水を補給する液面制御手段を含んでいて、これは、フロート弁２５０を有する構成としてよい。フロート弁２５０は、液面に浮かぶフロート２６０が液面の高さに応じて上下方向に推移することにより開閉する弁であり、水回収容器３１０の液面が所定の高さ以下となると開かれて補給水供給管２４０から水が供給され、液面が所定の高さ以上になると閉じられる。
【００４５】
このような液面制御手段によれば、水回収容器３１０から単位時間当たり一定の量の水が汲み上げられて水が循環しているにも拘らず、蒸発によって水が減少して水回収容器３１０の液面が所定の高さ以下となると、水が補給され、常に適切な量の水が吸気冷却装置２００を循環することとなる。
【００４６】
図４に示すように、充填材４００は吸気方向（傾斜した上流面から傾斜していない下流面に向かう方向）に所定の十分な厚さ（数十ｃｍ）を有し、この厚さにわたって、ガスタービンの吸気によって、充填材４００を流れる水が蒸発する。このため、気化熱（蒸発熱）の作用により、吸気が冷却される。かかる装置２００によれば、ダクトや容器などの建設費のかさむ構成部品を使用せずに、低廉に吸気冷却を実現可能である。
【００４７】
図４に示すように、上述の充填材４００のうち、吸気経路の上流側の面は、上部が下部より突出した傾斜面になっている。仮に上流側の面を空気流線に垂直な面とすると、吸気のために、上流側の面の近傍下部には水は流れず、充填材４００のかかる部分は存在するにも拘らず水の蒸発に寄与しないこととなる。したがって、上述のように、蒸発に寄与しない充填材部分を当初から削除した形状とすることにより、充填材４００を節約してコストを低減している。
【００４８】
図８は、充填材４００として、上述のヘチマロンのような塊状のものを用いる場合、上記の傾斜した上流側の面を形成するよう加工する様子を示す図である。１つの充填材４００を切断することにより、傾斜面を有する２つの部分充填材４００Ａ、４００Ｂを切り出すことができ、それら部分充填材の傾斜面を上流側の面として利用すればよい。
【００４９】
また、充填材４００をかかる形状にすることで、充填材４００の下部を流れる空気について、圧力損失を低減することができる利点も得られる。
【００５０】
図９は図１のプレフィルタ１２０の上流側に隣接して設けられたガスタービン用吸気冷却装置２００を示し、図９（ａ）（ｂ）はそれぞれ、装置２００を設置する前後の状態を示す図である。装置２００の充填材４００は、プレフィルタ１２０を隙間なく被覆するのが好ましい。
【００５１】
また、装置２００は、例えば水供給容器２１０Ｃと、水回収容器２２０Ｃと、それら容器を接続する４つの支柱４１０（図９（ｂ）では３本しか見えていない）とで構成されるフレームを用意し、このフレームに、切り出した充填材４００を入れて構成するとよい。このように充填材４００を充填したフレームをプレフィルタ１２０に固定することにより、吸気冷却を行う。
【００５２】
図１０はガスタービン用吸気冷却装置の他の例を示し、図１０（ａ）（ｂ）はそれぞれ、ガスタービン用吸気冷却装置７００を設置する前後の状態を示す図である。本実施形態では、プレフィルタ４３０自体、上部が下部より突出した傾斜面となっている。また、プレフィルタ４３０の前には通路４５０があり、２階以上の高さに設けられた通路には、手すり４４０が設けられている。
【００５３】
プレフィルタ４３０が上述のような形状を有するため、本実施形態では、充填材４００も、吸気方向に直交する方向から見て平行四辺形の形状を有するよう、加工する必要がある。
【００５４】
図１０に示すように、充填材４００は通路４５０に設置されていて、充填材４５０の上下にはそれぞれ水供給容器５１０と水回収容器５２０とが設置されている。水は、ポンプ（図示しない）によって汲み上げられたものが、各階にわたって配管されている給水管６００から水供給容器５１０に供給され、複数の排出口４６０を通じて、充填材４００の上方から内部に一様に水が流れる。また、充填材４００から流れ出た水は、水回収容器５２０の排出管５３０を通じて、下の階の充填材４００に供給される。なお、図１０（ｂ）では手すり４４０は図示を省略している。
【実施例】
【００５５】
図１１は本発明による実施形態の効果を、ミニチュアを用いて空気冷却試験を行い、検証した結果を示す表である。図１２は、ガスタービンの吸気入口の温度と出力との関係を示すグラフである。図１２に示すように、ガスタービンの定格出力は、吸気入口の温度が冬場の５℃のときに１００％の出力（例えば３５０メガワット）が得られるという基準で設計されている。仮に、夏場に吸気入口の温度が３５℃まで上昇すると、図１２に示すように、出力は８６％（例えば３００メガワット）まで低下してしまう。すなわち０．５％／℃の割合で出力は変化する。したがって、２０℃の大気を１８℃まで冷却するなど、２℃の温度変化を生じさせるだけでも、出力が１％増大し、数千世帯もの家庭の電力を賄えることになる。
【００５６】
上記の試験は平成１９年の各日付に行い、図１１に示す各充填材に、いずれも風速２．７ｍ／ｓの空気を与えて水を循環させた結果、「温度差」の項目に示すように、２℃以上〜５℃以上もの出入口の温度差が得られた。また、圧力損失を示す「差圧」も図１１に示す通り、いずれのサンプルでも、低い値に抑えることができた。このように、本発明の実施形態の有効性を確認した。
【００５７】
図１３は本発明の他の実施形態であるガスタービン用吸気冷却装置の原理を示す正面図である。ガスタービン用吸気冷却装置８００は、複数の波板を立設配置した充填材であって、図７に示すものとは異なるタイプの充填材９００を含む。
【００５８】
図１５および図１６は図１３の充填材９００の詳細な構成を示す図である。図１５は、充填材９００を構成する複数の波板９００Ａ〜９００Ｃの配置を明確化するため、各波板をずらして側方から見た図である。３枚の波板９００Ａ〜９００Ｃは代表して示すものであり、波板の数が通常はこれより多いことは言うまでもない。
【００５９】
波板９００Ａ〜９００Ｃの条溝の方向は、吸気方向に対して、互い違いに異なる２つの方向に傾斜している。すなわち、波板９００Ａの条溝は吸気方向より下降する方向であり、波板９００Ｂの条溝は吸気方向より上昇する方向であり、波板９００Ｃの条溝は再び吸気方向より下降する方向となっている。
【００６０】
本実施形態では、製造の容易性等の観点から、吸気方向と条溝方向との傾斜角度は一様（３０°）であるが、必ずしも一様な２方向にしなくてもよい。
【００６１】
このように波板９００Ａ〜９００Ｃを配置するのは、隣接する波板の最も隆起する部位同士を点接触させ、波板間の空隙を確保しつつ、互い違いに傾斜した条溝によって空気の乱流を促進し、吸気冷却性能を向上させるためである。吸気冷却性能がとりわけ向上するのは傾斜角度を２０°以上としたときである。一方、傾斜角度を４０°以下とするのは、これより傾斜角度を大きくすると吸気が遮断される傾向が強まって圧力損失が増大するからである。
【００６２】
このように、傾斜の角度は、２０°〜４０°の範囲であるとよく、両者の冷却性能と圧力損失とのバランスに鑑みれば、本実施形態のように、３０°とするのが望ましい。
【００６３】
複数の波板で構成される充填材９００は、ポリエチレンテレフタレートと、ポリエチレンと、ガラス繊維とで構成されている。
【００６４】
ゼロ・エミッションに貢献する観点から材料を有機物であるポリエチレンテレフタレート、ポリエチレンに限ることが望ましいが、それらだけでは耐久性が得られない。そこで無機物であるガラス繊維によって強度を向上させている。
【００６５】
図１７は図１３の充填材９００の成分の一例を示す一覧表である。充填材９００の主成分は既に述べた通りポリエチレンテレフタレートと、ポリエチレンと、ガラス繊維とであるが、このほか、珪酸粉、水酸化アルミニウム、カーボンブラック、抗菌剤、塩化ビニリデン系ラテックス等を混入してよい。これら、主成分以外の成分は必須のものではなく、一例にすぎない。
【００６６】
かかる素材で構成されている充填材９００の吸水率は２００％である。すなわち充填材１ｇで２ｇの水を吸うことが可能である。このように吸水率が高いことから、部分的に水を滴下するだけで充填材全体を容易に湿潤化可能である。したがって、散水ライン８１０Ａ、８１０Ｂの孔径は２〜３ｍｍという小さいものでよいし、ラインに一列、等間隔に設けるだけでよい。
【００６７】
図１８は図１３の充填材９００のより詳細な構造を示す図である。図１８に示すように、複数の波板の上には、さらに、波板と同一材質の平板９００Ｄが載置されている。散水ライン８１０Ａ、８１０Ｂからは、この平板９００Ｄに水を滴下する。
【００６８】
平板状の充填材９００Ｄに滴下された水は、充填材９００Ｄの高い吸水性によって、充填材９００Ｄを一様に湿潤化し、その下に立設配置されている複数の波板状９００Ａ〜９００Ｃの充填材に一様に供給可能となる。
【００６９】
図１９は図１３に示す充填材を構成する１枚の波板を示す図である。波板９００Ａの起伏の幅は３ｍｍ〜５ｍｍであるとよい。３ｍｍより小さいと圧力損失が大きくなりすぎ、５ｍｍを超えると蒸発が促進されず、同じ飽和効率を得るためには充填材の吸気方向の厚さが大きくなりすぎるからである。
【００７０】
図１３に示すように、ガスタービン用吸気冷却装置８００も、充填材９００の上方から内部に水を継続的に流す水供給手段を含む。水供給手段は、充填材９００の下部から流れ出る水を回収する水回収容器８０２Ａ、８０２Ｂ、８０４と、水回収容器８０４から水を充填材９００の上方まで水供給管８０６を通して汲み上げるポンプ８０８と、水供給管８０６から流れ込む水を充填材９００に滴下する散水ライン８１０Ａ、８１０Ｂとを含む。散水ライン８１０Ａ、８１０Ｂにはそれぞれ、滴下用の孔が設けられている。これによってガスタービン用吸気冷却装置８００も水を循環させている。
【００７１】
装置停止時には充填材９００に滴下された水が水回収容器８０４に還流し、同容器８０４からあふれる可能性がある。そこで、水回収容器８０４のすり鉢状の底面からは、オーバフロー管８０５が設けられている。オーバフロー管８０５の先端は、容器８０４内の水面８０９より高くなっていて、余剰の水を排出できるようになっている。
【００７２】
オーバフロー管８０５は、容器８０４内に堆積するゴミや析出不純物を自動的に排出できるよう、水回収容器８０４の下側から取り出し、水面８０９を一定に保つ、図１３に示すようなＪ字型のものであることが好ましい。
【００７３】
ポンプ８０８はインバータ８１２によって制御されるインバータポンプであり、インバータ８１２はコンピュータ８１４によって制御される。なお図１３において、補給水を得るための要素２４０、２５０、２６０に関しては図３と同様であるため、説明を省略する。
【００７４】
図１４は図１３のガスタービン用吸気冷却装置の性能を把握するための試験装置の側面図であり、図１３の矢印Ｂ−Ｂで示す方向から見た部分側面図に相当する。同図に示すように、吸気方向の上流から順に、防虫網８２０、ガスタービン用吸気冷却装置８００の充填材９００、ウェザールーバ１３０、プレフィルタ１２０、高効率フィルタ１１０が配置される。装置８００は、ウェザールーバ１３０の内側（下流側）に配置してもよい。装置８００は、作業スペースや載置場所の強度が確保できれば、さらにプレフィルタ１２０の内側に配置してもよい。
【００７５】
コンピュータ８１４にはセンサ８１６Ａ〜８１６Ｄが接続されていて、これらセンサ８１６Ａ〜８１６Ｄは配置された場所の相対湿度（ＲＨ）および温度を測定し、コンピュータ８１４に送信可能である。高効率フィルタ１１０の下流にはオリフィス流量計８１８およびブロワ８２０が設けられ、吸気速度（吸気量）を調節可能である。
【００７６】
充填材９００の高さは、図１４に示すように１．８ｍであり、厚みは０．３〜０．４ｍである。厚みを０．３〜０．４ｍとするのは、この厚みが大きくなるほど圧力損失が大きくなって不利であるが、飽和効率は向上するため、バランスをとった値としたものである。なお充填材９００から高効率フィルタ１１０までの全体の長さは、３〜４ｍとしてよい。厚みは上述のように充填材９００の圧力損失や飽和効率に関係するため増減する際には注意を要するが、その他の寸法は、設置される場所に応じて自由に変更してよい。
【００７７】
本実施形態で用いる散水ライン８１０Ａ、８１０Ｂには、穴を一列に等間隔で開ける程度でよい。他の実施形態のように多くの排出口を設けた水供給容器を用いてもよいが、充填材９００の吸水性は著しく高いため、平板状の充填材９００Ｄの一部に水を滴下すれば容易に充填材９００全体を一様に湿潤化できるからである。
【００７８】
図２０は気化式加湿エレメントにおける加湿の過程を空気線図上で表現したものである。本実施形態は等エンタルピで加湿されるという気化式加湿エレメントの特徴を有している。図２０の温度Ｔ１、絶対湿度Ｘ１の空気を気化式加湿器で加湿すると、等エンタルピ線９０２上を飽和曲線（相対湿度１００％）に向かって移動しながら加湿してゆく。加湿された空気の温度をＴ２、絶対湿度をＸ２とし、飽和曲線との交点（露点）の温度をＴ３、絶対湿度をＸ３とすると、Ｘ１がＸ３（またはＴ１がＴ３）まで移動する量を１００％とし、Ｘ１がＸ２（またはＴ１がＴ２）まで移動した量が何％に相当するかを表した値を飽和効率と呼ぶ。計算方法は式（１）または（２）で表される。この飽和効率によって加湿性能を表すことができる。
飽和効率（％）＝（Ｘ２−Ｘ１）／（Ｘ３−Ｘ１）×１００        （１）
＝（Ｔ２−Ｔ１）／（Ｔ３−Ｔ１）×１００        （２）
【００７９】
上述の充填材を用いた加湿の飽和効率は８０％以上とする。飽和効率の値が大きいほど加湿性能が高く、冷却効果が高まるからである。また、水の供給量も少なくてすむため、水を循環させるためのポンプ８０８も小型化できる利点がある。
【００８０】
上述の水供給手段はさらに、吸気の温度を検出する温度センサと、吸気の湿度を検出する湿度センサとを含む。これらセンサは、温度・湿度センサ８１６Ａによって便宜的に示している。センサ８１６Ａは装置８００の入口の吸気の相対湿度（ＲＨ）および温度を検出してコンピュータ８１４に送る。
【００８１】
コンピュータ８１４には、上述の水供給手段を構成する、ハードディスク等の記録手段（図示は省略する）が備えられていて、ここには、センサ８１６Ａで検出された温度および相対湿度に応じた水供給量を予め定めたテーブルが記録されている。
【００８２】
コンピュータ８１４は、単位時間当たり、テーブルで定められた水供給量の水をインバータポンプ８０８が水回収容器８０４から汲み上げるよう、インバータ８１２を介してポンプを制御するポンプ制御手段としての役割を果たす。
【００８３】
上記のテーブルに定める水供給量は、一般的に、理論蒸発量の１．５倍〜１．８倍程度が好ましい。より好ましくは、予め、吸気温度および湿度と、それに対応する、装置８００に特有の、最適水量（冷却効果が最大になる水量）との関係を調査して、上記のテーブルに登録しておくとよい。これにより、吸気の温度や湿度の変化に対応して、装置８００に常に最適な量の水を供給し、ポンプの消費エネルギも最小限に抑えることが可能となるからである。
【００８４】
図２１の本実施形態の冷却性能の実験結果を示す表である。充填材９００の厚みは０．３ｍとし、充填材９００を構成する１枚の波板９００Ａの起伏の幅は３ｍｍとした。いずれの試験においても、飽和効率は８０％以上とした。その結果、センサ８１６Ａ、８１６Ｂにて検出した、装置８００の入口・出口の温度差は、いずれも７℃以上に達していて、高い冷却効果が得られたことが分かる。
【００８５】
ただし、本実施形態における充填材９００は、波板の条溝の方向が互い違いに異なる２つの方向に傾斜するという独特の乱流を促進する構造を有する。
【００８６】
上記のような構造の充填材９００は、以下のような利点がある。すなわち、吸気の経路の上流側に向かって下を向くように傾斜している方式の加湿エレメントの場合、空気の出口において最下部に位置する吸気経路は、入口が気流を引込めない低い位置に埋没してしまっているため、エレメント全体の面積を活用できていない。その点、本実施形態における充填材９００は、その全体の面積を活用可能であり、無駄な面積がない。
【００８７】
さらに、本実施形態における充填材９００は、広大な波板を製造し、所定の大きさに切断して、条溝が傾斜するように積み重ねるという簡便な作業にて製造可能である。
【００８８】
図２２および図２３は他の充填材９５０の構成を示す図である。図１３に示したガスタービン用吸気冷却装置８００には、充填材９００に代えて、この異なるタイプの充填材９５０を用いてもよい。
【００８９】
図２４は図２２および図２３に示す充填材のさらに詳細な構成を示す図である。図２４（ａ）に示すように、充填材９５０は、波板・平板構造９５２、９５４、９５６、９５８で構成されていて、これら複数の波板・平板構造は、共通の構造を有する。
【００９０】
図２４（ｂ）では、波板・平板構造９５２を代表としてその構造を説明する。波板・平板構造９５２は、吸気方向に平行に立設配置された波板９５２Ａおよび平板９５２Ｂを含み、これらが隣接配置されている。波板９５２Ａの条溝の方向は、吸気方向に平行である。
【００９１】
複数の波板および平板で構成される充填材９５０も、ポリエチレンテレフタレートと、ポリエチレンと、ガラス繊維とで構成されていて、図１７に示した充填材９００の成分と同様としてよい。
【００９２】
図２４（ａ）に示すように、充填材９５０を構成する複数の波板・平板構造９５２、９５４、９５６、９５８の上には、さらに、波板・平板構造と同一材質の平板９５０Ｄが載置されている。散水ライン８１０Ａ、８１０Ｂからは、この平板９５０Ｄに水を滴下する。
【００９３】
図２４（ｂ）に示すように、波板９５２Ａの起伏の幅は、充填材９００の波板と同様に、３ｍｍ〜５ｍｍであるとよい。また、充填材９５０の空隙率は８０％以上であり、これを用いた加湿の飽和効率は、充填材９００と同様、８０％程度以上が好ましい。
【００９４】
図２５は、充填材９５０を用いた場合の本実施形態の冷却性能の実験結果を示す表である。図２５では、充填材９５０は、「不織布」と称されている。充填材９５０の厚みは０．２０ｍとし、充填材９５０を構成する１枚の波板９５０Ａの起伏の幅は３．３ｍｍとした。入口と出口の温度差が大きく、高い冷却効果が得られていることが分かる。
【００９５】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９６】
本発明は、ガスタービンの吸気を冷却するガスタービン用吸気冷却装置に適用可能である。
【図面の簡単な説明】
【００９７】
【図１】本発明の実施形態が適用されるガスタービンの一例を示す図であり、（ａ）は正面図、（ｂ）は右側面図である。
【図２】図１（ａ）のＡ−Ａ断面図である。
【図３】本発明の実施形態であるガスタービン用吸気冷却装置の原理を示す、吸気の上流側から見た部分断面図である。
【図４】図３のガスタービン冷却装置を側方から見た部分断面図である。
【図５】図３および図４の充填材の例である、塊状の縮れた細線材料である充填材を示す図である。
【図６】図３および図４の充填材の例である、枠のみで構成された立体的な形状を有する複数の要素の１つを示す図である。
【図７】図３および図４の充填材の例である、吸気方向に平行に立設配置された複数の波板の集合体である充填材を示す図である。
【図８】図４に示す充填材の加工の様子を示す図である。
【図９】図１のプレフィルタの上流側に隣接して設けられたガスタービン用吸気冷却装置の例を示す図である。
【図１０】ガスタービン用吸気冷却装置の他の例を示す図である。
【図１１】空気冷却試験を行った結果を示す表である。
【図１２】ガスタービンの吸気入口の温度と出力との関係を示すグラフである。
【図１３】本発明の他の実施形態であるガスタービン用吸気冷却装置の原理を示す正面図である。
【図１４】図１３のガスタービン用吸気冷却装置の性能を把握するための試験装置の側面図である。
【図１５】図１３の充填材を構成する複数の波板の配置を示す図である。
【図１６】図１３の充填材の詳細な構成を示す図である。
【図１７】図１３の充填材の成分の一例を示す一覧表である。
【図１８】図１３の充填材のより詳細な構造を示す図である。
【図１９】図１３に示す充填材を構成する１枚の波板を示す図である。
【図２０】気化式加湿エレメントにおける加湿の過程を空気線図上で表現したものである。
【図２１】図１３のガスタービン用吸気冷却装置の冷却性能の実験結果を示す表である。
【図２２】図１３のガスタービン用吸気冷却装置に適用可能な他の充填材の構成を示す図である。
【図２３】図２２に示す充填材の構成を示す図である。
【図２４】図２２および図２３に示す充填材のさらに詳細な構成を示す図である。
【図２５】図１３のガスタービン用吸気冷却装置に図２２の充填材を用いた場合の冷却性能の実験結果を示す表である。
【符号の説明】
【００９８】
１００  ガスタービン
１２０、４３０  プレフィルタ
２００、８００  ガスタービン用吸気冷却装置
２１０Ａ、２１０Ｂ  水供給容器
２２０Ａ、２２０Ｂ、３１０、８０２Ａ、８０２Ｂ、８０４  水回収容器
２５０  フロート弁
２８０、８０８  ポンプ
４００、９００、９５０  充填材
【図１】
2008232138.tif 000003
【図２】
2008232138.tif 000004
【図３】
2008232138.tif 000005
【図４】
2008232138.tif 000006
【図７】
2008232138.tif 000007
【図８】
2008232138.tif 000008
【図９】
2008232138.tif 000009
【図１０】
2008232138.tif 000010
【図１１】
2008232138.tif 000011
【図１２】
2008232138.tif 000012
【図１３】
2008232138.tif 000013
【図１４】
2008232138.tif 000014
【図１７】
2008232138.tif 000015
【図１９】
2008232138.tif 000016
【図２０】
2008232138.tif 000017
【図２４】
2008232138.tif 000018
【図５】
2008232138.tif 000019
【図６】
2008232138.tif 000020
【図１５】
2008232138.tif 000021
【図１６】
2008232138.tif 000022
【図１８】
2008232138.tif 000023
【図２１】
2008232138.tif 000024
【図２２】
2008232138.tif 000025
【図２３】
2008232138.tif 000026
【図２５】
2008232138.tif 000027